(57)【要約】      （修正有）【課題】電話番号により経路制御を実施し、サイトフリーに対応した電話システムを提供する。【解決手段】ＩＰ電話機と、前記ＩＰ電話機と接続する複数の中継装置と、電話番号を記録したサーバと、を備えた番号変換電話システムであって、前記サーバは、前記ＩＰ電話の電話番号と利用者の固有番号とを記憶し、第１の中継装置は、ＩＰ電話機より着信者の前記固有番号を用いた発信を受けた場合、前記サーバに着信者の固有番号を対応するＩＰ電話機の電話番号への変換を要求し、前記サーバは、前記記憶した固有番号から対応するＩＰ電話の電話番号を検索し、前記第１の中継装置に送信し、前記電話番号を受信した前記第１の中継装置は、前記ＩＰ電話機へ発信する。【選択図】図１
2013135353.tif 000002
【特許請求の範囲】
【請求項１】
複数のＩＰ電話機と、前記複数のＩＰ電話機と接続する複数の中継装置と、電話番号を記録したサーバと、前記複数の中継装置と前記サーバとを接続するネットワークと、を備えた番号変換電話システムであって、
前記サーバは、前記複数のＩＰ電話の電話番号と当該ＩＰ電話機を利用する利用者の固有番号とを対応付けて記憶し、
前記複数の中継装置のうち第１の中継装置は、前記複数のＩＰ電話機のうち第１のＩＰ電話機より着信者の前記固有番号を用いた発信を受けた場合、前記サーバに前記複数のＩＰ電話機のうち前記着信者の固有番号を対応する第２のＩＰ電話機の電話番号への変換を要求し、
前記サーバは、前記要求を受け付けた場合、前記記憶した利用者の固有番号から対応する第２のＩＰ電話の電話番号を検索し、前記第１の中継装置に送信し、
前記第２のＩＰ電話機の電話番号を受信した前記第１の中継装置は、前記第２のＩＰ電話機へ発信することを特徴とする番号変換電話システム。
【請求項２】
前記第１の中継装置からの発信を受信した前記複数の中継装置のうち前記第２のＩＰ電話装置が接続する第２の中継装置は、前記サーバへ前記第１のＩＰ電話機の番号を前記サーバへ問い合わせ、
前記サーバは、前記第１のＩＰ電話機の番号から発呼者の前記固有番号を検索し、前記第２の中継装置に返送し、
前記第２の中継装置は、接続する前記第２のＩＰ電話機に着信要求と前記発呼者の固有番号を送信し、
前記第２の電話機は、前記着信の際に、前記発呼者の固有番号を表示することを特徴とする請求項１記載の番号交換電話システム。
【請求項３】
前記第２の中継装置は、前記サーバに第２のＩＰ電話機の電話番号を送信し、
前記サーバは、前記第２のＩＰ電話機の電話番号から前記着信者の固有番号を検索し、前記第２の中継装置に返送し、
前記第２の中継装置は、接続する前記第２のＩＰ電話機に前記着信者の固有番号を送信し、
前記第２の電話機は、前記着信の際に、前記着信者の固有番号を表示することを特徴とする請求項２記載の番号交換電話システム。
【請求項４】
前記複数のＩＰ電話機の１つは、所定の電話番号に発信して前記サーバに接続し、前記複数のＩＰ電話機の１つを利用する利用者の固有番号を受け付けて、前記ＩＰ電話機の電話番号と前記利用者の固有番号とを前記サーバに送信し、
前記サーバは、受信した前記ＩＰ電話機の電話番号と前記利用者の固有番号を対応付けて登録または更新することを特徴とする請求項１記載の番号交換電話システム。
【請求項５】
前記複数の中継装置はそれぞれ異なる地域にあり、前記複数のＩＰ電話機は夫々接続する前記複数の中継装置に対応した電話番号が割り当てられていることを特徴とする請求項２記載の番号変換電話システム。
【発明の詳細な説明】
【技術分野】
【０００１】
本発明は、番号変換を利用したサイトフリーな電話システムに関する。
【背景技術】
【０００２】
企業内線電話システムのような内線電話システムでは番号計画を持ち、各地の拠点に局番号（拠点番号）を決め、その局番号に続いて内線番号が存在する。自営ＰＨＳシステムなどを利用する場合は1人１番号の内線を持ち、局番＋内線番号という構成となっている。自営ＰＨＳシステムであればローミングによりサイトフリーで利用可能であるが、利用者の所属拠点が変わると利用者の割り付けられた局番＋内線番号が変わることとなる。
【０００３】
また、本技術分野の背景技術として、特開２０１０−２６８１５３号公報がある。この公報には、「発信元電話端末には、実体番号と公表番号が割り振られている。実体番号は、その電話端末に直接接続するときに用いられる電話番号であり、公表番号は、その電話端末の電話番号として第三者に公表された番号である。電話中継装置は、複数の電話端末別に、実体番号と公表番号とを互いに対応付けて記憶している。電話中継装置は、発信元電話端末から、発信元電話端末の実体番号が発番である第１発呼を受信すると、発信元電話端末の実体番号に対応する公表番号を読み出す。そして電話中継装置は、発信先電話端末の公表番号が発番である第２発呼を行うことにより、発信元電話端末と発信先電話端末の中継処理を」と記載されている。
【先行技術文献】
【特許文献】
【０００４】
【特許文献１】特開２０１０−２６８１５３
【発明の概要】
【発明が解決しようとする課題】
【０００５】
ＳＩＰによる電話システムは、自分自身の電話番号などの識別情報やＩＰアドレスを含んだ登録メッセージをＳＩＰサーバへ送り１つのデータベースにて管理し、呼制御における通話相手を知る仕組みとなっている。ＳＩＰではサイトフリーではあるが、番号による経路制御は実施しておらず、ＩＰにより呼制御や通話を相手まで到達させている。また、ＳＩＰによる電話システムに対応するには、従来のＩＰ電話のシステムでは対応できず、新たにＳＩＰに対応したものに変更する必要があるためシステムを変更するためのコストが高額となる。
【０００６】
また、複数のＩＰ−ＰＢＸ群により構成された番号による経路制御が実施されている電話システム上において、局番号による経路制御を実現しており、サイト（拠点）と局番号が少なくとも同期してしまうという問題点があるためサイトフリーな内線番号は実現が難しい。
【０００７】
また、特開２０１０−２６８１５３では実番号と公開番号の２種類を持たせ同様の変換を実施する旨が記載されているが、複数のＰＢＸシステムからなる電話システムにおいて考慮されていない。
【０００８】
そこで、本発明は、電話番号により経路制御を実施し、サイトフリーに対応した電話システムを提供する。
【課題を解決するための手段】
【０００９】
上記課題を達成するため、本願は課題解決するための手段を複数含んでいるが、例えば特許請求の範囲に記載の構成を採用する。その手段を挙げるならば、複数のＩＰ電話機と、前記複数のＩＰ電話機と接続する複数の中継装置と、電話番号を記録したサーバと、前記複数の中継装置と前記サーバとを接続するネットワークと、を備えた番号変換電話システムであって、前記サーバは、前記複数のＩＰ電話の電話番号と当該ＩＰ電話機を利用する利用者の固有番号とを対応付けて記憶し、前記複数の中継装置のうち第１の中継装置は、前記複数のＩＰ電話機のうち第１のＩＰ電話機より着信者の前記固有番号を用いた発信を受けた場合、前記サーバに前記複数のＩＰ電話機のうち前記着信者の固有番号を対応する第２のＩＰ電話機の電話番号への変換を要求し、前記サーバは、前記要求を受け付けた場合、前記記憶した利用者の固有番号から対応する第２のＩＰ電話の電話番号を検索し、前記第１の中継装置に送信し、前記第２のＩＰ電話機の電話番号を受信した前記第１の中継装置は、前記第２のＩＰ電話機へ発信する構成とする。
【発明の効果】
【００１０】
本発明によれば、番号による経路制御を実施するＩＰ−ＰＢＸ群から構成される電話システムにおいて人の異動によって人に紐付く内線番号が変わることなく、同じ番号で同じ人に電話をかけることが可能である。これによって電話帳などの更新の負荷が減り、エンドユーザにとってメンテナンスが容易となる。
【図面の簡単な説明】
【００１１】
【図１】発着信を行なう電話機と電話を制御するＩＰ−ＰＢＸ及び番号変換を実施する番号変換サーバとそのＤＢを示したブロック図である。
【図２】番号変換サーバが保持する番号変換ＤＢのテーブル図である（移動前）。
【図３】番号変換サーバが保持する番号変換ＤＢのテーブル図である(移動後)。
【図４】エンドユーザ番号を経路制御番号に登録するフローチャートである。
【図５】発信する際の各装置の制御を示したシーケンス図である。
【発明を実施するための形態】
【００１２】
以下、図面を参照して本発明の実施の形態を説明する。
図１は本実施例における電話システムの構成を示したブロック図である。拠点Ａには発着信を行なうＩＰ電話機１１１、１１２とそれらＩＰ電話機を制御するＩＰ−ＰＢＸ１２１があり、ＩＰ−ＰＢＸ１２１はネットワーク１０１を介して、拠点ＢのＩＰ−ＰＢＸ１２２及び番号変換を実施する番号変換サーバ１３１と接続している。拠点ＢにはＩＰ−ＰＢＸ１２２とそれに接続するＩＰ電話機１１３、１１４とから構成されてる。それぞれのＩＰ電話には固定の利用者Ａ〜Ｃがおり、本実施例では、利用者Ｂが拠点Ａから拠点Ｂへと移動した場合を想定している。番号変換サーバ１３１は、番号変換ＤＢ１３２を備え、後述する番号変換を行う。
【００１３】
なお、ＩＰ電話の利用者が固定されていない場合であっても、本実施例は適用可能である。また、移動者が拠点間ではなく、同拠点内で移動した場合であっても適用可能である。
【００１４】
次に、番号変換サーバ１３１が備える番号変換ＤＢ１３２について説明する。番号変換ＤＢ１３２は、図２に示す番号変換テーブル２０１が記憶している。番号変換テーブル２０１は、エンドユーザ番号２０２とそれに対応した経路制御電話番号２０３から構成されている。
【００１５】
番号変換テーブル２０１について、説明する。経路制御電話番号２０３は各ＩＰ電話機１１１〜１１４に割り当てられた電話番号である。本実施例では、１−２３−４５６７がＩＰ電話機１１１、３−４５−６７８９がＩＰ電話機１１２、５−６７−８９０１がＩＰ電話機１１３、７−８９−０１２３がＩＰ電話機１１４として示している。もちろん、この経路制御電話番号２０３を用いて発信することもできる。
【００１６】
エンドユーザ番号は、ＩＰ電話機の使用者固有の番号である。本実施例では、利用者Ａ，Ｂ，ＣがそれぞれＩＰ電話機１１１、１１２、１１４を使用しているため、それぞれのエンドユーザ番号２０２（１１１１１１１１１、２２２２２２２２２、３３３３３３３３３）が経路制御電話番号２０３に対応付けられて保存されている。利用者はエンドユーザ番号２０２を入力することで相手に発信することができるが、詳細については後述する。なお、ＩＰ電話機１１３には利用者がいないため、エンドユーザ番号２０２は空欄となっている。
【００１７】
本実施例では、エンドユーザ番号を利用者固有の番号（例えば、社員番号等）とし、経路制御番号をＩＰ電話に割り当てられた電話番号としているが、これに限定されず様々な番号を割り当ててもよい。もちろんＩＰ−ＰＢＸに接続されるＩＰ電話の数により、保持するテーブルのデータは増減することは言うまでもない。
【００１８】
次に図３および図４を用いて、利用者が移動した場合における番号変換テーブル２０１の更新について説明する。
【００１９】
図４は、番号変換テーブル２０１の更新フローを示す図である。
異動などにより利用するＩＰ電話が変わった場合、利用者は図示しないＰＣ等のネットワークに接続されている端末から番号変換サーバ１３１に接続する（４０１）。番号変換サーバに接続した利用者は、自己のエンドユーザ番号２０２を入力する（４０２）。次に、番号変換サーバ１３１は入力されたエンドユーザ番号２０２が番号変換テーブル２０１に登録されているものか否かの確認を行い（４０３）、登録されていれば新たな経路制御番号２０３の入力を受け付けと登録を行い（４０４、４０５）、登録されて否ければ、再度エンドユーザ番号２０２の入力を促す。この際、新たな経路番号２０３を登録した場合に、古い経路番号については登録を削除する。
【００２０】
なお、ＰＣ等のネットワークに接続されている端末ではなく、ＩＰ電話から番号変換サーバ１３１に接続し、新たな経路制御番号を登録することとしてもよい。具体的には、番号変更登録用の電話番号に発信することで番号変換サーバ１３１に接続され、音声ガイダンス等により自身のエンドユーザ番号を入力することで番号変換テーブル２０１を更新登録する。
【００２１】
図３は、図２に示した番号変換テーブル２０１に対して、エンドユーザ番号の新たな経路制御番号に更新された番号変換テーブル２０１を示す図である。前記した更新フローにより、利用者Ｂ（エンドユーザ番号：２２２２２２２２２）がＩＰ電話機１１２（経路制御電話番号：３−４５−６７８９）からＩＰ電話機１１３（経路制御電話番号：７−８９−０１２３）に異動し、電話番号を更新していることを示している。
【００２２】
次に、図５を用いて本実施例における発信動作について説明する。図５は、各装置間の動作を示したシーケンス図である。なお、本実施例では、利用者Ａが利用者Ｂに対して発信を行う場合を用いて説明する。
【００２３】
発信を行なう電話機１１１は、利用者Ａから通話相手先のエンドユーザ番号（２２２２２２２２２）を入力され、ＩＰ−ＰＢＸ１２１向けに発信要求１７１を出す（５０１）。ＩＰ−ＰＢＸ１２１は、受け取った番号を番号変換サーバ１３１宛てに番号変換要求を出す（５０２）。番号変換サーバ１３１は、自身の番号変換ＤＢ１３２を参照し対応する経路制御電話番号（７−８９−０１２３）の回答を行なう（５０３）。ＩＰ−ＰＢＸ１２１は受け取った番号を元に呼制御を実施する（５０４）。ＩＰ−ＰＢＸ１２２は、受け取った経路制御番号（１−２３−４５６７）を番号変換サーバ１３１宛てに番号変換要求を出す（５０５）。
【００２４】
番号変換サーバ１３１は、自身の番号変換ＤＢ１３２を参照し経路制御用番号から対応するエンドユーザ番号の回答を行なう（５０６）。ＩＰ−ＰＢＸ１２２は呼制御１７４にて受け取った経路制御用の番号を元に電話機１１２を着信要求（呼び出し）１７７を実施する（５０７）。その際ＩＰ−ＰＢＸ１２２は電話機１１２の着信番号表示に利用者Ａを示すエンドユーザ番号（１１１１１１１１１）を表示させる。その後、利用者Ｂが応答するとＩＰ電話１１１とＩＰ電話１１３の間で呼接続が確立し、通話が可能となる（５０８）。
【００２５】
上記構成をとることで、番号による経路制御を実施するＰＢＸ群から成る電話システムにおいて人の異動によって人に紐付く内線番号が変わることなく、同じ番号で同じ人に電話をかけることが可能となり、電話帳などの更新の負荷が減りエンドユーザにとってメンテナンスが容易となる。
【００２６】
なお、上記実施例は、各利用者がそれぞれＩＰ電話を有している場合を説明したが、一つのＩＰ電話に数人の利用者が割り当てられた場合にも同様に適用できる。この場合、呼び出し時に表示される着信番号表示は、発呼者のエンドユーザ番号だけではなく、着呼者のエンドユーザ番号を表示する。この様に構成することで誰宛にかかってきた電話かを容易に判別することができ、利便性が高い。
【００２７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００２８】
１１１〜１１４：ＩＰ電話機
１２１、１２２：ＩＰ−ＰＢＸ
１３１：番号変換サーバ
１３２：番号変換ＤＢ
２０１：番号変換テーブル
２０２：エンドユーザ番号
２０３：経路制御電話番号
【図１】
2013135353.tif 000003
【図２】
2013135353.tif 000004
【図３】
2013135353.tif 000005
【図４】
2013135353.tif 000006
【図５】
2013135353.tif 000007